【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
テレビ番組に関係する検索クエリを使用するための方法であって、
複数のプロセッサおよび記憶装置を含むサーバにおいて、
検索クエリを電子装置から受信することであって、前記電子装置はテレビまたはセットトップボックスとは異なるものであり、前記検索クエリは時間窓中に受信されることと、
前記電子装置に関連付けられた位置を判断することと、
前記検索クエリが受信された前記時間窓中の前記電子装置に関連づけられた位置で入手可能な一つまたは複数のテレビ番組を判断するためにテレビ番組関連情報のデータベースにアクセスすることと、
特定のテレビ番組が前記電子装置の近くで現在表示されていることを推測するために前記受信した検索クエリと前記時間窓中の前記電子装置に関連づけられた前記位置における前記判断された一つまたは複数のテレビ番組とを使用することと、
前記電子装置の近くで現在表示されている前記推測されたテレビ番組に基づき前記検索クエリを修正することであって、前記サーバによって実施され、
テレビ番組関連情報の前記データベースにアクセスすることと、
前記推測されたテレビ番組と前記受信された検索クエリとに関連する追加検索語を判断することと、
前記追加検索語を前記受信された検索クエリに追加することとを含む、前記検索クエリを修正することと、を含む方法。
【請求項２】
前記方法は、前記修正された検索クエリにより検索を実行することをさらに含む請求項１に記載の方法。
【請求項３】
前記方法は、前記修正されたクエリの検索結果を前記電子装置へ送信することをさらに含む請求項２に記載の方法。
【請求項４】
前記追加検索語を判断することは、テレビ番組関連情報の前記データベース内に格納された前記情報に基づき前記追加検索語を判断することを含む、請求項１に記載の方法。
【請求項５】
前記テレビ番組を推測することは、一組の可能なテレビ番組内のテレビ番組毎に、前記受信された検索クエリに関連付けられた得点を生成することを含む請求項１に記載の方法。
【請求項６】
前記テレビ番組を推測することは、前記生成得点に従って前記一組の可能なテレビ番組を順序付けすることをさらに含む、請求項５に記載の方法。
【請求項７】
前記テレビ番組を推測することは、前記判断されたテレビ番組として最も高い生成得点を有する前記テレビ番組を選択することをさらに含む、請求項６に記載の方法。
【請求項８】
前記得点を生成することは、
前記検索クエリ語に関連付けられた第１の組のカテゴリを特定することと、
前記テレビ番組に関連付けられた第２の組のカテゴリを特定することと、
前記第１の組のカテゴリと前記第２の組のカテゴリに対して照合関数を適用することとをさらに含む請求項５に記載の方法。
【請求項９】
前記テレビ番組関連情報は、番組時間、チャネル情報、番組題名、番組説明、番組シリーズ情報、キャスト情報、およびジャンル情報に関係する情報を含む請求項１に記載の方法。
【請求項１０】
前記推測されたテレビ番組はユーザに表示されている請求項１に記載の方法。
【請求項１１】
前記電子装置は、補足的セットトップボックスである請求項１に記載の方法。
【請求項１２】
テレビ番組に関係する検索クエリを使用するためのサーバシステムであって、前記サーバシステムは、
一つまたは複数のプロセッサと、
前記１つまたは複数のプロセッサにより行われる１つまたは複数のプログラムを格納するメモリと、を含み、
前記一つまたは複数のプログラムは、
検索クエリを電子装置から受信するための命令であって、前記電子装置はテレビまたはセットトップボックスとは異なるものであり、前記検索クエリは時間窓中に受信される、命令と、
前記電子装置に関連付けられた位置を判断するための命令と、
前記検索クエリが受信された前記時間窓中の前記電子装置に関連づけられた位置で入手可能な一つまたは複数のテレビ番組を判断するためにテレビ番組関連情報のデータベースをアクセスするための命令と、
特定のテレビ番組が前記電子装置の近くで現在表示されていることを推測するために、前記受信した検索クエリと前記時間窓中の前記電子装置に関連づけられた前記位置において放送されている前記判断された一つまたは複数のテレビ番組とを使用するための命令と、
前記電子装置の近くで現在表示されている前記推測されたテレビ番組に基づき前記検索クエリを修正するための命令であって、前記修正は前記サーバによって実施され、
テレビ番組関連情報の前記データベースにアクセスすることと、
前記推測されたテレビ番組と前記受信された検索クエリとに関連する追加検索語を判断することと、
前記追加検索語を前記受信された検索クエリに追加することとを含む、命令とを含むサーバシステム。
【請求項１３】
前記修正された検索クエリにより検索を実行するための命令をさらに含む請求項１２に記載のサーバシステム。
【請求項１４】
電子装置により実行されるように構成された１つまたは複数のプログラムを格納するコンピュータ可読記憶媒体であって、前記１つまたは複数のプログラムは、
検索クエリを電子装置から受信するための命令であって、前記電子装置はテレビまたはセットトップボックスとは異なるものであり、前記検索クエリは時間窓中に受信される、命令と、
前記電子装置に関連付けられた位置を判断するための命令と、
前記検索クエリが受信された前記時間窓中の前記電子装置に関連づけられた位置で入手可能な一つまたは複数のテレビ番組を判断するためにテレビ番組関連情報のデータベースをアクセスするための命令と、
特定のテレビ番組が前記電子装置の近くで現在表示されていることを推測するために、前記受信した検索クエリと前記時間窓中の前記電子装置に関連づけられた前記位置において放送されている前記判断された一つまたは複数のテレビ番組とを使用するための命令と、
前記電子装置の近くで現在表示されている前記推測されたテレビ番組に基づき前記検索クエリを修正するための命令であって、前記修正はサーバによって実施され、
テレビ番組関連情報の前記データベースにアクセスすることと、
前記推測されたテレビ番組と前記受信された検索クエリとに関連する追加検索語を判断することと、
前記追加検索語を前記受信された検索クエリに追加することとを含む、命令とを含むコンピュータ可読記憶媒体。
【請求項１５】
前記修正された検索クエリにより検索を実行するための命令をさらに含む請求項１４に記載のコンピュータ可読記憶媒体。
【請求項１６】
前記修正されたクエリの検索結果を前記電子装置へ送信するための命令をさらに含む請求項１３に記載のサーバシステム。
【請求項１７】
前記テレビ番組を推測することは、一組の可能なテレビ番組内のテレビ番組毎に、前記受信された検索クエリに関連付けられた得点を生成することを含む請求項１２に記載のサーバシステム。
【請求項１８】
前記得点を生成することは、
前記検索クエリ語に関連付けられた第１の組のカテゴリを特定することと、
前記テレビ番組に関連付けられた第２の組のカテゴリを特定することと、
前記第１の組のカテゴリと前記第２の組のカテゴリに対して照合関数を適用することとをさらに含む請求項１７に記載のサーバシステム。
【請求項１９】
前記修正されたクエリの検索結果を前記電子装置へ送信するための命令をさらに含む請求項１５に記載のコンピュータ可読記憶媒体。
【請求項２０】
前記テレビ番組を推測することは、一組の可能なテレビ番組内のテレビ番組毎に、前記受信された検索クエリに関連付けられた得点を生成することを含む請求項１４に記載のコンピュータ可読記憶媒体。